(57)【要約】【課題】  電源投入後に迅速に初期画面の表示を行うことができる画像表示処理装置を提供する【解決手段】  装置に電源が投入されリセット状態が解除されると、転送制御装置１０４が搭載されたＩＣの初期データ転送モード設定ピンの電圧に応じて転送制御装置１０５は、不揮発データ格納装置１０３の所定の領域から画面データ格納装置１０４に対して直ちにイメージデータを転送する。操作部制御装置１０２は転送終了を確認後、画像出力制御装置１０６を通じて表示をイネーブルにすることにより、初期画面を画像表示装置１０７に表示することができる。電源投入後リセット信号が解除されてからは、表示画面１画面分をハードウエアで転送するのみであるので、転送時間は数ミリ秒程度となる。【選択図】  図１
2006243550.tif 000002
【特許請求の範囲】
【請求項１】
表示画面を形成するためのイメージデータを格納するイメージデータ格納手段と、
前記イメージデータ格納手段から転送されたイメージデータに基づいて表示画面を形成する表示画面データ格納手段と、
前記表示画面データ格納手段を読み出し、読み出した表示画面データを表示装置に出力する制御を行う表示制御手段と、
前記イメージデータ格納手段から前記表示画面データ格納手段へのイメージデータの転送を制御する転送制御手段と、
前記転送制御手段が構成された集積回路の初期データ転送モード設定ピンの所定状態を検出する検出手段とを備え、
前記転送制御手段は、電源投入後リセット信号が解除され前記検出手段が前記所定の状態を検出したとき、前記不揮発データ格納手段の所定のアドレスに格納された初期画面イメージデータを表示画面データ格納手段に転送することを特徴とする画像表示処理装置。
【請求項２】
前記転送制御手段は、前記検出手段が検出した前記ピンの電圧レベルに応じて電源投入時の一連の転送を行うか否かを決定することを特徴とする請求項１記載の画像表示処理装置。
【請求項３】
前記転送制御手段は、前記電源投入時の一連の転送時に、不揮発データ格納手段の所定のアドレスに格納された前記初期画面イメージデータを、不揮発データ格納手段の所定のアドレスに格納されたカラーパレットデータを用いて変換した上で転送を行うことを特徴とする請求項１又は２記載の画像表示処理装置。
【請求項４】
転送制御手段は、前記ピンの電圧レベルに応じて電源投入時の一連の転送時にカラーパレット変換を行うか否かを決定することを特徴とする請求項３記載の画像表示処理装置。
【請求項５】
前記転送制御手段は、前記ピンの電圧レベルに応じて電源投入時の一連の転送における初期画面イメージデータの転送サイズを決定することを特徴とする請求項１から４のいずれか１項に記載の画像表示処理装置。
【請求項６】
前記転送制御手段は、前記電源投入時の一連の転送が終了するとシステム内のＣＰＵまたは割り込みコントローラに転送終了の通知を行うことを特徴とする請求項１から５のいずれか１項に記載の画像表示処理装置。
【発明の詳細な説明】
【技術分野】
【０００１】
本発明は、表示データを処理して表示装置に表示する画像表示処理装置に関するものである。
【背景技術】
【０００２】
近年の複写機等の操作パネルは、ドットマトリクス方式でグラフィックデータを表示できるタイプが主流になってきている。表示データの生成方法は、例えば、画像情報やイメージデータをメインの制御装置から受信し、これを受けて操作パネルに搭載されたサブの制御装置が不揮発メモリに格納されているイメージデータを組み合わせて所定の画面を合成し、フレームメモリに格納する。フレームメモリに格納されたイメージデータは、ＬＣＤ制御モジュールから順次読み出され、タイミング調整を受けてＬＣＤパネルに出力される。
尚、従来より、電源投入時あるいは同じデータの再読み込み時に不揮発メモリの内容を利用して処理を行う磁気ディスク装置が提案されている（例えば、特許文献１参照）。また、主記憶部の記録内容を電源断時に不揮発メモリに保存し、電源投入時に保存した内容を主記憶主記憶装置に戻すようにした情報処理装置が提案されている（例えば、特許文献２参照）。
【特許文献１】特開２００１−２６６４５２号公報
【特許文献２】特開２００１−１２５６５９号公報
【発明の開示】
【発明が解決しようとする課題】
【０００３】
前記の表示データの生成方法の一連の動作の中で、システムの電源を投入してからＬＣＤに初期画面が表示されるまでには、各種メモリ制御タイミングの初期化、ＰＬＬを用いる場合は動作クロックの設定と安定化、メイン制御装置と前記サブの制御装置である操作部制御装置の初期化作業と通信制御の確立、初期画面情報や画面イメージの転送など、初期画面が表示できるようになるまで多くのプロセスが必要であり、またその時間もかかるという問題があった。
本発明は上記の問題を解決するためのものであり、画像表示処理装置において電源投入後に迅速に初期画面の表示を行うことができるようにすることを課題とする。
【課題を解決するための手段】
【０００４】
請求項１の発明による画像表示処理装置は、表示画面を形成するためのイメージデータを格納するイメージデータ格納手段と、前記イメージデータ格納手段から転送されたイメージデータに基づいて表示画面を形成する表示画面データ格納手段と、前記表示画面データ格納手段を読み出し、読み出した表示画面データを表示装置に出力する制御を行う表示制御手段と、前記イメージデータ格納手段から前記表示画面データ格納手段へのイメージデータの転送を制御する転送制御手段と、前記転送制御手段が構成された集積回路の初期データ転送モード設定ピンの所定状態を検出する検出手段とを備え、前記転送制御手段は、電源投入時にリセット信号が解除され前記検出手段が前記所定の状態を検出したとき、前記不揮発データ格納手段の所定のアドレスに格納された初期画面イメージデータを表示画面データ格納手段に転送することを特徴とするものである。
【０００５】
請求項２の発明による画像表示処理装置は、請求項１において、前記転送制御手段は、前記検出手段が検出した前記ピンの電圧レベルに応じて電源投入時の一連の転送を行うか否かを決定することを特徴とするものである。
請求項３の発明による画像表示処理装置は、請求項１，２において、前記転送制御手段は、前記電源投入時の一連の転送時に、不揮発データ格納手段の所定のアドレスに格納された前記初期画面イメージデータを、不揮発データ格納手段の所定のアドレスに格納されたカラーパレットデータを用いて変換した上で転送を行うことを特徴とするものである。
【０００６】
請求項４の発明による画像表示処理装置は、請求項３において、転送制御手段は、前記ピンの電圧レベルに応じて電源投入時の一連の転送時にカラーパレット変換を行うか否かを決定することを特徴とするものである。
請求項５の発明による画像表示処理装置は、請求項１から４において、前記転送制御手段は、前記ピンの電圧レベルに応じて電源投入時の一連の転送における初期画面イメージデータの転送サイズを決定することを特徴とするものである。
請求項６の発明による画像表示処理装置は、請求項１から５において、前記転送制御手段は、前記電源投入時の一連の転送が終了するとシステム内のCPUまたは割り込みコントローラに転送終了の通知を行うことを特徴とするものである。
【発明の効果】
【０００７】
請求項１の発明によれば、電源投入時の表示パネルへの迅速な初期画面表示を行うことができる。
請求項２の発明によれば、電源投入時の初期設定プログラムが開始するのを待たずに初期データの転送実行可否を判断することができる。
請求項３の発明によれば、イメージデータを格納するメモリ領域を小さく抑えることができる。
【０００８】
請求項４の発明によれば、電源投入時の初期設定プログラムが開始するのを待たずにカラーパレット使用可否を判断し、初期データの転送を行うことができる。
請求項５の発明によれば、電源投入時の初期設定プログラムが開始するのを待たずに初期データの転送を行うことができる。
請求項６の発明によれば、フレームメモリを表示可能にするタイミングを知ることができ、迅速に初期画面を表示することができる。
【発明を実施するための最良の形態】
【０００９】
以下、本発明の実施形態を図面と共に説明する。
図１は本発明の実施形態による画像表示処理装置の構成を示すブロック図である。
図１において、本装置は、全体を制御するメイン制御装置１０１と、表示画面の生成制御や表示画面のデータ処理を行う操作部制御装置１０２と、操作部制御装置１０２のプログラムや、表示データの素材となるイメージデータを格納する不揮発メモリからなる不揮発データ格納装置１０３と、表示する画面データを格納するフレームメモリからなる画面データ格納装置１０４と、不揮発データ格納装置１０３から画面データ格納装置１０４にイメージデータを転送する転送制御装置１０５と、画面データ格納装置１０４に格納された画像データを読み取りタイミングを調整してＣＲＴやＬＣＤパネルに出力を行う画像出力制御装置１０６と、ＣＲＴやＬＣＤに画像を表示する画像表示装置１０７と、本実施形態の特徴であるデータ転送装置１０５を格納しているＬＳＩパッケージ等のＩＣの所定のモード設定ピンの電圧レベルを検出して操作部制御装置１０５に入力する入力装置１０８により構成されている。
【００１０】
不揮発データ格納装置１０３には、操作部制御装置１０２の動作制御プログラムのほかに、画像表示装置１０７に表示する画面データを構成する部分的なイメージデータが様々なサイズで格納されている。さらに、本実施形態によるシステムでは、初期画面の表示を行う画面全体のイメージデータが、不揮発データ格納装置１０３の所定のアドレスに格納されている。
【００１１】
次に、上記構成による動作について説明する。
本装置に電源が投入されると、まずリセット信号によりメイン制御装置１０１と操作部制御装置１０２の双方でプログラムの実行が開始され、各種メモリ制御タイミングの初期化やＰＬＬを用いる場合の動作クロック設定と安定化、メイン制御装置１０１および操作部制御装置１０２の初期化作業と通信制御の確立等のリセット動作がまず行われる。
【００１２】
本発明を適用していない従来の場合は、上記リセット解除後、初期画面データを生成するための情報や初期画面として使用する画面イメージの転送などがメイン制御装置１０１から操作部制御装置１０２に対して行われる。これらの設定や転送の一連の動作が全て終了すると、生成した初期画面データを画面データ格納装置１０４に転送し、さらに画像出力制御装置１０６を通じて表示をイネーブルにすることにより、初期画面を画像表示装置１０７に表示することが可能となる。上記の一連の動作を経る必要があるため、初期データの表示が完了するまでには数秒以上の時間がかかってしまうことがあった。
【００１３】
これに対して本実施形態による画像表示処理装置では、転送制御装置１０５が搭載されている前記ＩＣのピンの電圧変化を検出するようにしている。このＩＣにはモード毎にモード設定ピンを備えており、電源が投入されリセット状態が解除されると、まず初期データ転送モード設定ピンの電圧が前記の一連の動作の終了を待たずに直ちに変化する。この電圧変化を入力装置１０８が検出すると、転送制御装置１０５は直ちに不揮発データ格納装置１０３の所定の領域から初期画面のイメージデータを取り出して画面データ格納装置１０４に転送する。操作部制御装置１０２は転送終了を確認後、画像出力制御装置１０６を通じて表示をイネーブルにすることで、初期画面を画像表示装置１０７に表示することができる。電源投入後リセット信号が解除されてからは、表示画面１画面分をハードウエアで転送するのみであるので、転送時間は数ミリ秒程度となる。
【００１４】
以下、図２のフローチャートを用いて動作の詳細を説明する。
装置の電源が投入され、データ転送装置のリセット信号が解除されると、転送制御装置１０５では、入力装置１０８から入力される前記ＩＣの初期データ転送モード設定ピンの状態に応じて初期データ転送モードとなるかどうかが決定される（Ｓ２０１）。初期データ転送モードが選択されていた場合は、引き続き入力装置１０８からの所定のピンの状態から、画面サイズに対応した転送サイズの情報を取り込む（Ｓ２０２）。その後、転送制御装置１０５は不揮発データ格納装置１０３からイメージデータのリードを行う（Ｓ２０３）。
【００１５】
次に、入力装置１０８で検出したパレット変換モード設定ピンの電圧が所定の状態となっていた場合（Ｓ２０４）は、パレットテーブルデータを不揮発データ格納装置１０３から取り込み、イメージデータをパレット変換する（Ｓ２０５）。パレット変換後のイメージデータ、あるいはパレット変換モードで無い場合はリードしたままのイメージデータをフレームメモリ、すなわち画面データ格納装置１０４へライトする（Ｓ２０６）。（Ｓ２０２）で設定されたサイズの転送が終っていなければ（２０３）のイメージデータリードから転送を繰り返す（Ｓ２０７）。全ての転送が終了したら割り込み信号、あるいはステータスレジスタへの値のセット等で操作部制御装置１０２に通知する（Ｓ２０８）。転送終了の通知を受けた操作部制御装置１０２は画像出力制御装置１０６を通じて表示をイネーブルにすることにより、初期画面を画像表示装置１０７に表示することができる。
【００１６】
以上説明したように本実施形態は、転送制御装置１０５が搭載されたＩＣのモード設定ピンの状態に応じて動作設定を行い、電源投入後のリセット解除を受けて不揮発性メモリの所定のアドレスに格納された初期画面イメージデータをフレームメモリにハードウエアのみで転送を行うようにしたので、ソフトウエアによる初期設定動作の完了を待たずに初期画面データの表示準備が完了し、電源投入後に迅速に初期画面の表示を行うことができるようにしたものである。
【００１７】
従って、本実施形態によれば、次の効果を得ることができる。
（１）電源投入時に自動的に所定のアドレスからイメージデータを表示用エリアに転送することにより、電源投入時の表示パネルへの迅速な初期画面表示が可能な画像表示処理装置を提供することができる。
（２）ＩＣピンの状態に応じて初期データ転送の可否を判断することにより、電源投入時の初期設定プログラムが開始するのを待たずに初期データの転送実行可否を判断することができる。
（３）不揮発メモリに格納しておくイメージデータをパレット番号として格納することより、イメージデータを格納するメモリ領域を小さく抑えることができる。
【００１８】
（４）ＩＣピンの状態によりカラーパレット使用可否を判断することにより、電源投入時の初期設定プログラムが開始するのを待たずにカラーパレット使用可否を判断し、初期データの転送を行うことができる。
（５）ＩＣピンの設定で転送するイメージデータのサイズを判断することにより、電源投入時の初期設定プログラムが開始するのを待たずに初期データの転送を行うことができる。
（６）転送終了の通知を行うことにより、フレームメモリを表示可能にするタイミングを知ることができ、迅速に初期画面を表示することができる。
【図面の簡単な説明】
【００１９】
【図１】本発明の実施形態による画像処理システムの構成を示すブロック図である。
【図２】本発明の実施形態による画像処理システムの動作を示すフローチャートである。
【符号の説明】
【００２０】
１０１    メイン制御装置
１０２    操作部制御装置
１０３    不揮発データ格納装置
１０４    転送制御装置
１０５    画像データ格納装置
１０６    画像出力制御装置
１０６    画像表示装置
【図１】
2006243550.tif 000003
【図２】
2006243550.tif 000004